(57)【特許請求の範囲】
【請求項１】
燃料缶を収容する上部が開口した有底の容器と、該容器の上端に載せるカバーで中央に開口部を有するカバーとを備え、該カバーの上面に、該上面に対し所定の高さ位置にリングを固定し、該リングと前記カバーとの間に該カバーの開口部の大きさを可変にする蓋を設け、前記リングの内周に当接可能なストッパピンを前記蓋に立設し、前記蓋を前記ストッパピンで規制される範囲内でスライド可能に構成したことを特徴とする燃料缶用の火力調節器。
【請求項２】
前記蓋には、前記ストッパピンを取り付ける複数の取付孔が径方向の異なる位置に設けられていることを特徴とする請求項１記載の燃料缶用の火力調節器。
【請求項３】
前記容器の外周に柄が固定されていることを特徴とする請求項１又は２記載の燃料缶用の火力調節器。
【請求項４】
上壁に設けた蓋体を外すと、内蓋に取り付けた芯の先端が露出するとともに、上壁には内蓋の外側に環状の溝が形成されている燃料缶に使用される火力調節器であって、中央に開口部を有しかつ下端部を前記環状の溝に嵌合させる周壁を有するカバーを備え、該カバーの上面に、該上面に対し所定の高さ位置にリングを複数の固定部材で固定し、該リングと前記カバーとの間に該カバーの開口部の大きさを可変にする蓋を設け、該蓋に前記リングの内周に当接可能なストッパピンを立設し、前記蓋を、該蓋が前記複数の固定部材に規制され或いは前記ストッパピンが前記リングの内周に規制される範囲内でスライド可能に構成したことを特徴とする燃料缶用の火力調節器。
【発明の詳細な説明】
【０００１】
【発明の属する技術分野】
本発明は、ホテル、旅館やパーティ会場で使用される料理保温用の燃料缶に使用する燃料缶用の火力調節器に関する。
【０００２】
【従来の技術】
図６は、従来の燃料缶用の火力調節器を示している。この火力調節器に使用する燃料缶６２は、上壁６０に設けた蓋体６１を外すと、内蓋に取り付けた芯（図示を省略）の先端が露出する形式のものである。この従来の火力調節器は、燃料缶６２を収容する上部が開口した有底の容器６３と、該容器６３の外周に固定した柄６４と、容器６３の上端に載せるカバーで、中央に開口部６５を有しかつ周壁６６を有するカバー６７と、柄６４に回動自在に支持され、先端にカバー６７の開口部６５を開閉する蓋６８が固定されたレバー６９とからなり、レバー６９を支点７０を中心に回動させることにより、蓋６８で開口部６５の大きさを可変調節するようになっている。
【０００３】
【発明が解決しようとする課題】
ところが上記従来技術では、柄６４を手で保持しながらレバー６９を指で回動させることにより、蓋６８を柄６４の支点７０を中心に回動させてカバー６７の開口部６５の大きさを調節する構成であるため、以下の問題点がある。
（１）レバー６９を指で操作し易くするためには、柄６４が手前側に位置するように容器６３を配置するのが好ましい。この場合、容器６３の周囲に置いた鍋等を載せる台、例えば、五徳の足と、容器６３との間に充分なスペースが無く、蓋６８を支点７０を中心に回動させることができない場合には、蓋６８を支点７０を中心に回動させることができるように、五徳或いは容器６３の位置を変える必要があり、面倒である。
【０００４】
（２）レバー６９を指で回動させる際に、レバー６９を柄６４に対して位置決めする手段が無いため、一定の火力が得られるような位置に移動させるのが難しい。
【０００５】
（３）さらに、五徳に代わって鍋等を載せる台として、風防付きのコンロを使用した場合には、火力を調節するためには、風防付きのコンロの空気取入口から手或いは棒を入れてレバー６９を操作しなければならず、その操作が難しい。
【０００６】
本発明は、このような従来の問題点に着目してなされたもので、その課題は、火力調節をする蓋を広い角度範囲でスライド可能にし、一定の火力が得られる位置に蓋を確実に移動でき、また、鍋などを載せる台として風防付きのコンロを使用する場合でも火力調節を容易に行えるようにした燃料缶用の火力調節器を提供するものである。
【０００７】
【課題を解決するための手段】
上記課題を解決するため請求項１に係る発明は、燃料缶を収容する上部が開口した有底の容器と、該容器の上端に載せるカバーで中央に開口部を有するカバーとを備え、該カバーの上面に、該上面に対し所定の高さ位置にリングを固定し、該リングとカバーとの間に該カバーの開口部の大きさを可変にする蓋を設け、リングの内周に当接可能なストッパピンを前記蓋に立設し、蓋を前記ストッパピンで規制される範囲内でスライド可能に構成したことを特徴とする。
かかる構成によれば、蓋をストッパピンで規制される範囲内でスライド可能に構成したので、蓋を広い角度範囲でスライドさせることができる。これによって、容器の周囲に置いた台、例えば、五徳の足と容器との間に充分なスペースが無い場合でも、容器や五徳などの台の位置は変えずに、蓋を五徳などの台とぶつからない方向にスライドさせてカバーの開口部の大きさを変えることができる。また、容器に載せたカバーを容器上で回動させることによっても、蓋が五徳などの足にぶつからない位置を選択できる。また、ストッパピンがリングの内周に当たる位置に蓋を確実に移動させることができる。さらに、風防付きのコンロを容器の周囲に配置した場合でも、風防付きの台の中にその空気取入口から箸等の棒を入れこの棒でストッパピンを動かすことにより、容易に火力を調節することができる。
【０００８】
請求項２に係る発明は、前記蓋には、ストッパピンを取り付ける複数の取付孔が径方向の異なる位置に設けられていることを特徴とする。
かかる構成によれば、複数の取付孔のいずれか１つを選択し、この選択した取付孔にストッパピンを取り付けることにより、一定の火力が得られる位置を容易に変更することができる。
【０００９】
請求項３に係る発明は、容器の外周に柄が固定されていることを特徴とする。かかる構成によれば、柄を手で保持して容器を傾けることにより、傾けた方向へ蓋をスライドさせることができ、火力調節を簡単に行える。
【００１０】
また、請求項４に係る発明は、上壁に設けた蓋体を外すと、内蓋に取り付けた芯の先端が露出するとともに、上壁には内蓋の外側に環状の溝が形成されている燃料缶に使用される火力調節器であって、中央に開口部を有しかつ下端部を環状の溝に嵌合させる周壁を有するカバーを備え、該カバーの上面に、該上面に対し所定の高さ位置にリングを複数の固定部材で固定し、該リングとカバーとの間に該カバーの開口部の大きさを可変にする蓋を設け、該蓋にリングの内周に当接可能なストッパピンを立設し、蓋を、該蓋が複数の固定部材に規制され或いはストッパピンがリングの内周に規制される範囲内でスライド可能に構成したことを特徴とする。
かかる構成によれば、上記請求項１に係る発明が奏する作用、効果に加え、カバーの周壁の下端部を燃料缶の上壁の環状の溝に嵌合させる構成であるので、燃料缶を収容する容器が不要となり、その分だけ部品点数が削減されてコストが低減される。
【００１１】
【発明の実施の形態】
以下、本発明の実施の形態を図面に基づいて詳細に説明する。図１は本発明の実施の形態の一例に係る燃料缶用の火力調節器を示す分解斜視図、図２は図１に示す燃料缶用の火力調節器の側面図、図３は図１に示す燃料缶用の火力調節器の動作説明図で、同図（Ａ）はカバーの開口部を全開にした状態を示す図、同図（Ｂ）は同開口部を全閉にした状態を示す図である。
本例に係る燃料缶用の火力調節器１は、図１および図２に示すように、燃料缶２を収容する上部が開口した有底の金属製の容器３と、該容器３の上端に載せるカバーで、中央に開口部４を有する金属製のカバー６とを備える。
【００１２】
燃料缶２は、上壁７に設けた蓋体８を外すと、図３（Ａ）に示すように、内蓋９に取り付けた芯１０の先端が露出し、また、該芯１０の他端は容器３内の液体燃料に浸漬されている形式のものである。芯１０は、例えば、セラミック製合成紙でできている。
【００１３】
カバー６の上面には、該上面に対し所定の高さ位置に金属製のリング１１を３組の固定部材１２〜１４で固定してある。各組の固定部材１２〜１４は、図１および図２に示すように、カバー６の上面とリング１１との間を所定の間隔に保持するスペーサ１２ａ〜１４ａ（１２ａは図示を省略してある。）と、該各スペーサの貫通孔に通したねじ１２ｂ〜１４ｂと、ナット１２ｃ〜１４ｃ（１２ｃは図示を省略してある。）とからなり、ねじ１２ｂ〜１４ｂを締め付けることによりリング１１がカバー６の上面に所定の高さ位置に固定されている。
【００１４】
リング１１とカバー６との間には、カバー６の開口部４の大きさを可変にする蓋１５が設けられている。該蓋１５は、金属製の円板であり、該蓋１５の外周部近傍には、リング１１の内周に当接可能な１つのストッパピン１６が立設されている。また、蓋１５は、該蓋１５が３組の固定部材１２〜１４のうちの固定部材１２と１４に規制され或いはストッパピン１６がリング１１の内周に規制される範囲内でスライド可能に構成されている。すなわち、蓋１５は、その外周が固定部材１２と１４のいずれかに当接してその移動を制限される範囲、或いは、ストッパピン１６がリング１１の内周に当接してその移動を制限される範囲の広い角度範囲内でスライド可能である。
【００１５】
また、蓋１５には、ストッパピン１６を取り付ける３つの取付孔１７〜１９が径方向の異なる位置に設けられている。ストッパピン１６には、その全長に亘って雌ねじが形成されており、該雌ねじに図２に示す止めねじ２１をねじ込んでワッシャを介して締め付けることにより、ストッパピン１６が３つの取付孔１７〜１９のいずれかに固定されている。さらに、容器３の外周には、柄２０が固定されている。
【００１６】
そして、前記３組の固定部材１２〜１４のうち、固定部材１２と１４は、図３（Ａ）に示すように、ねじ１２ｂと１４ｂの間隔（実際には、スペーサ１２ａ（図示省略）と１４ａの間隔）が円形の蓋１５の直径より十分大きくなるような位置に設けられている。そして、固定部材１３は、固定部材１２と１４のほぼ中間位置に設けられている。これによって、蓋１５は、固定部材１２と１４を結ぶ直線に垂直な方向に、ストッパピン１６がリング１１の内周に当接する図３（Ａ）に示す全開位置と、ストッパピン１６がリング１１の内周に当接する図３（Ｂ）に示す全閉位置との間でスライド可能である。これとともに、蓋１５は、ストッパピン１６を図３（Ａ）に示す位置からリング１１の内周に沿って固定部材１２側に移動させてそのスペーサ１２ａに当接する位置と、ストッパピン１６を同図（Ａ）に示す位置からリング１１の内周に沿って固定部材１４側に移動させてそのスペーサ１４ａに当接する位置との間の角度範囲でスライド可能である。
【００１７】
上記構成を有する本例に係る燃料缶用の火力調節器では、蓋１５を、該蓋１５が固定部材１２と１４に規制され或いはストッパピン１６がリング１１の内周に規制される範囲内でスライド可能に構成したので、柄２０を手で保持して容器３およびカバー６を傾けることにより、或いは、箸などの棒でストッパピン１６を押すことにより、蓋１５を広い角度範囲でスライドさせることができる。これによって、容器３の周囲に置いた台、例えば、五徳の足と容器３との間に充分なスペースが無い場合でも、容器３や五徳などの台の位置は変えずに、蓋１５を五徳などの台とぶつからない方向にスライドさせてカバー６の開口部４の大きさを変えることができる。また、容器３に載せたカバー６を容器３上で回動させることによっても、蓋１５が五徳などの足にぶつからない位置を選択できる。また、ストッパピン１６がリング１１の内周に当たる位置、或いは蓋１５の外周が固定部材１２と１４に当たる位置まで蓋１５をスライドさせることにより、一定の火力が得られる位置に蓋１５を確実に移動させることができる。さらに、風防付きのコンロを容器３の周囲に配置した場合でも、風防付きのコンロの空気取入口から箸等の棒を入れこの棒でストッパピンを動かすことにより、容易に火力を調節することができる。
【００１８】
このように、本例によれば、火力調節をする蓋１５を広い角度範囲でスライドさせることができ、一定の火力が得られる位置に蓋１５を確実に移動させることができ、そして、鍋などを載せる台として風防付きのコンロを使用する場合でも火力調節を容易に行うことができる。
【００１９】
また、本例によれば、複数の取付孔１７〜１９のいずれか１つを選択し、この選択した取付孔にストッパピン１６を取り付けることにより、一定の火力が得られる位置を容易に変更することができる。
さらに、本例によれば、柄２０を手で保持して容器３を傾けることにより、蓋１５或いはこれに立設したストッパピン１６に触れることなく、傾けた方向へ蓋１５をスライドさせて火力調節を簡単に行うことができる。
【００２０】
図４は、上記一例の変形例を示している。この変形例に係る燃料缶用の火力調節器は、上記一例において柄２０（図２参照）を削除したもので、その他の構成は上記一例と同じである。この変形例では、容器３を手で保持して容器３およびカバー６を傾けることにより、或いは、ストッパピン１６を上記一例と同様に箸などの棒で押すことにより、蓋１５をスライドさせることができる。そして、この変形例によれば、容器３の外周から突出する柄がないために、容器３を配置する際の自由度が上記一例よりも増し、使い勝手がより向上する。
【００２１】
図５は本発明の実施の形態の他例に係る燃料缶用の火力調節器を示している。本例に係る燃料缶用の火力調節器１Ａは、上壁２２に設けた蓋体（図示省略）を外すと、内蓋２３に取り付けた芯２４の先端が露出するとともに、上壁２２には内蓋２３の外側に環状の溝２５が形成されている燃料缶２６に使用される。この火力調節器１Ａは、中央に開口部２７を有しかつ下端部２８を環状の溝２５に嵌合させる周壁２９を有するカバー３０を備える。カバー３０の上面には、該上面に対し所定の高さ位置にリング３１が３組の固定部材３２〜３４で固定されている。これらの固定部材３２〜３４は、上記一例における固定部材１２〜１４と同じ位置関係に設けられている。
【００２２】
また、リング３１とカバー３０との間に、カバー３０の開口部２７の大きさを可変にする蓋３５が設けられている。この蓋３５には、リング３１の内周に当接可能なストッパピン３６が立設されている。そして、蓋３５を、該蓋３５が３組の固定部材３２〜３４のうちの固定部材３２と３４に規制され或いはストッパピン３６がリング３１の内周に規制される範囲内でスライド可能に構成されている。リング３１には、風防用の周壁３１ａが立設されている。この周壁３１ａによって、炎に風が当たりにくくなっている。
本例に係る燃料缶用の火力調節器１Ａによれば、上記一例に係る燃料缶用の火力調節器１が奏する作用、効果に加え、カバー３０の周壁２９の下端部２８を燃料缶２６の上壁２２の環状の溝２５に嵌合させる構成であるので、上記一例のように燃料缶を収容する容器３（図１参照）が不要となり、その分だけ部品点数が削減されてコストを低減することができる。また、本例に係る燃料缶用の火力調節器１Ａは、上記一例のものと比べより小型の燃料缶に使用するのに適している。
【００２３】
【発明の効果】
以上説明したように、請求項１に係る発明によれば、火力調節をする蓋を広い角度範囲でスライドさせることができ、一定の火力が得られる位置に蓋を確実に移動することができ、また、鍋などを載せる台として風防付きのコンロを使用する場合でも火力調節を容易に行うことができる。
【００２４】
請求項２に係る発明によれば、複数の取付孔のいずれか１つを選択し、この選択した取付孔にストッパピンを取り付けることにより、一定の火力が得られる位置を容易に変更することができる。
【００２５】
請求項３に係る発明によれば、柄を手で保持して容器を傾けることにより、傾けた方向へ蓋をスライドさせることができ、火力調節を簡単に行うことができる。
【００２６】
また、請求項４に係る発明によれば、上記請求項１に係る発明が奏する作用、効果に加え、カバーの周壁の下端部を燃料缶の上壁の環状の溝に嵌合させる構成であるので、燃料缶を収容する容器が不要となり、その分だけ部品点数が削減されてコストを低減することができる。
【図面の簡単な説明】
【図１】本発明の実施の形態の一例に係る燃料缶用の火力調節器を示す分解斜視図。
【図２】図１に示す燃料缶用の火力調節器の側面図。
【図３】図１に示す燃料缶用の火力調節器の動作説明図。
【図４】図１に示す一例の変形例を示す図２と同様の側面図。
【図５】本発明の実施の形態の他例に係る燃料缶用の火力調節器を示す分解斜視図。
【図６】従来例を示す分解斜視図。
【符号の説明】
１，１Ａ・・・・・・火力調節器
２，２６・・・・・・燃料缶
３・・・・・・・・・容器
４，２７・・・・・・開口部
５，２９・・・・・・周壁
６，３０・・・・・・カバー
７，２２・・・・・・上壁
８・・・・・・・・・蓋体
９，２３・・・・・・内蓋
１０，２４・・・・・芯
１１，３１・・・・・リング
１２〜１４，３２〜３４・・・・・固定部材
１２ａ〜１４ａ・・・スペーサ
１２ｂ〜１４ｂ・・・ねじ
１２ｃ〜１４ｃ・・・ナット
１５，３５・・・・・蓋
１６，３６・・・・・ストッパピン
１７〜１９・・・・・取付孔
２０・・・・・・・・柄
２１・・・・・・・・止めねじ
２５・・・・・・・・環状の溝
２８・・・・・・・・下端部
３１ａ・・・・・・・風防用の周壁
【図１】
0003601584.tif 000002
【図２】
0003601584.tif 000003
【図３】
0003601584.tif 000004
【図４】
0003601584.tif 000005
【図５】
0003601584.tif 000006
【図６】
0003601584.tif 000007